(57)【要約】【課題】透明ディスプレイとして使用でき、背景の状況によるディスプレイの視認性悪化を無くし、ユーザがディスプレイ上の表示を見ることができ、一方、ディスプレイの背面側からは表示内容が見えないようにする。【解決手段】  電極付き透明板材層１と高分子散乱液晶層２と電極付き透明板材層３とからなる透過散乱層は、入射光をドット単位で透過する状態と入射光をドット単位で散乱させる状態とが、制御信号発生器１０Ａからの制御信号により切り替えられる。偏光板層５と電極付き透明板材層６とシャッタ液晶層７と電極付き透明板材層８と反射型偏光フィルム層９とからなる透過反射層は、入射光を全面で透過する状態と入射光を全面で反射する状態とが、制御信号発生器１０Ｂからの制御信号により切り替えられる。そしてそれら透過散乱層と透過反射層は貼り合わせシート層４により貼り合わされている。【選択図】  図６
2011059589.tif 000002
【特許請求の範囲】
【請求項１】
入射光をドット単位で透過する状態と入射光をドット単位で散乱させる状態とが第一の制御信号により切り替えられる透過散乱層と、入射光を透過する状態と入射光を反射する状態とが第二の制御信号により切り替えられる透過反射層と、前記透過散乱層と透過反射層とを貼り合わせる貼り合わせ層とを有するディスプレイ部と、
前記第一，第二の制御信号を発生する制御信号発生部と、
を備えた表示装置。
【請求項２】
前記透過散乱層は、各ドットに対応した複数の液晶分子がマトリクス状に配列された高分子散乱液晶層と、当該高分子散乱液晶層を挟み込むと共に前記各液晶分子に前記第一の制御信号を供給する電極を備えた二枚の透明板材層とを有してなり、前記第一の制御信号により、所望の液晶分子について、入射光を散乱させる方向に分子軸の配向が制御され、又は、入射光を通過させる方向に分子軸の配向が制御され、
前記透過反射層は、複数の液晶分子がマトリクス状に配列されたシャッタ液晶層と、当該シャッタ液晶層を挟み込むと共に前記各液晶分子に前記第二の制御信号を供給する電極を備えた二枚の透明板材層と、一方の透明板材層の外側に配される偏光板層と、他方の透明板材層の外側に配される反射型偏光フィルム層とを有してなり、前記第二の制御信号により、全ての液晶分子について、入射光の偏光方向が前記偏光板層と反射型偏光フィルム層を通過させる一定方向に制御され、又は、入射光の偏光方向が前記一定方向とは異なる方向に制御される請求項１記載の表示装置。
【請求項３】
入射光をドット単位で透過する状態と入射光をドット単位で散乱させる状態とが第一の制御信号により切り替えられる透過散乱層と、入射光を透過する状態と入射光を反射する状態とが第二の制御信号により切り替えられる透過反射層と、前記透過散乱層と透過反射層とを貼り合わせる貼り合わせ層とを有するとともに、前記透過散乱層側が自端末の正面側になされ、前記透過反射層側が自端末の背面側になされるディスプレイ部と、
自端末の使用状況を判定する状況判定部と、
前記状況判定部による自端末の使用状況の判定結果に応じた前記第一，第二の制御信号を発生する制御信号発生部と、
を備えた携帯情報端末。
【請求項４】
前記透過散乱層は、各ドットに対応した複数の液晶分子がマトリクス状に配列された高分子散乱液晶層と、当該高分子散乱液晶層を挟み込むと共に前記各液晶分子に前記第一の制御信号を供給する電極を備えた二枚の透明板材層とを有してなり、前記第一の制御信号により、所望の液晶分子について、入射光を散乱させる方向に分子軸の配向が制御され、又は、入射光を通過させる方向に分子軸の配向が制御され、
前記透過反射層は、複数の液晶分子がマトリクス状に配列されたシャッタ液晶層と、当該シャッタ液晶層を挟み込むと共に前記各液晶分子に前記第二の制御信号を供給する電極を備えた二枚の透明板材層と、一方の透明板材層の外側に配される偏光板層と、他方の透明板材層の外側に配される反射型偏光フィルム層とを有してなり、前記第二の制御信号により、全ての液晶分子について、入射光の偏光方向が前記偏光板層と反射型偏光フィルム層を通過させる一定方向に制御され、又は、入射光の偏光方向が前記一定方向とは異なる方向に制御される請求項３記載の携帯情報端末。
【請求項５】
前記状況判定部は、当該自端末の前記背面側を撮影するカメラ部を有し、当該カメラ部により撮影されている画像内に人の顔画像が含まれる使用状況か否か判定し、
前記制御信号発生部は、前記状況判定部において人の顔画像が含まれる使用状況であると判定された時、前記高分子散乱液晶層の所望の液晶分子について入射光を散乱させる方向に分子軸の配向を制御する第一の制御信号を発生するともに、前記シャッタ液晶層の全ての液晶分子について入射光の偏光方向を前記一定方向とは異なる方向に制御する第二の制御信号を発生する請求項４記載の携帯情報端末。
【請求項６】
前記状況判定部は、当該自端末の前記背面側に向いた赤外線センサ部を有し、当該赤外線センサ部により人体から発する赤外線を検知した使用状況か否か判定し、
前記制御信号発生部は、前記状況判定部において人体から発する赤外線を検知した使用状況であると判定された時、前記高分子散乱液晶層の所望の液晶分子について入射光を散乱させる方向に分子軸の配向を制御する第一の制御信号を発生するともに、前記シャッタ液晶層の全ての液晶分子について入射光の偏光方向を前記一定方向とは異なる方向に制御する第二の制御信号を発生する請求項４記載の携帯情報端末。
【請求項７】
前記状況判定部は、当該自端末の前記正面側に向いた静電センサ部を有し、当該静電センサ部により人体への接触を検知した使用状況か否か判定し、
前記制御信号発生部は、前記状況判定部において人体への接触を検知した使用状況であると判定された時、前記高分子散乱液晶層の所望の液晶分子について入射光を散乱させる方向に分子軸の配向を制御する第一の制御信号を発生するともに、前記シャッタ液晶層の全ての液晶分子について入射光の偏光方向を前記一定方向とは異なる方向に制御する第二の制御信号を発生する請求項４記載の携帯情報端末。
【請求項８】
前記状況判定部は、当該自端末の前記正面側に向いた近接センサ部を有し、当該近接センサ部により物体からの距離が一定距離内になったことを検知した使用状況か否か判定し、
前記制御信号発生部は、前記状況判定部において物体からの距離が一定距離内になったと検知した使用状況であると判定された時、前記高分子散乱液晶層の所望の液晶分子について入射光を散乱させる方向に分子軸の配向を制御する第一の制御信号を発生するともに、前記シャッタ液晶層の全ての液晶分子について入射光の偏光方向を前記一定方向とは異なる方向に制御する第二の制御信号を発生する請求項４記載の携帯情報端末。
【請求項９】
前記状況判定部は、当該自端末の前記正面側に向いた温度センサ部を有し、当該温度センサ部により人体の体温を検知した使用状況か否か判定し、
前記制御信号発生部は、前記状況判定部において人体の体温を検知した使用状況であると判定された時、前記高分子散乱液晶層の所望の液晶分子について入射光を散乱させる方向に分子軸の配向を制御する第一の制御信号を発生するともに、前記シャッタ液晶層の全ての液晶分子について入射光の偏光方向を前記一定方向とは異なる方向に制御する第二の制御信号を発生する請求項４記載の携帯情報端末。
【請求項１０】
前記状況判定部は、予め決められたコンテンツが前記ディスプレイ部に表示される使用状況か否か判定し、
前記制御信号発生部は、前記状況判定部において前記予め決められたコンテンツが表示される使用状況であると判定された時、前記高分子散乱液晶層の所望の液晶分子について入射光を散乱させる方向に分子軸の配向を制御する第一の制御信号を発生するともに、前記シャッタ液晶層の全ての液晶分子について入射光の偏光方向を前記一定方向とは異なる方向に制御する第二の制御信号を発生する請求項４記載の携帯情報端末。
【請求項１１】
前記状況判定部は、予め決められたアプリケーションプログラムが自端末において実行される使用状況か否か判定し、
前記制御信号発生部は、前記状況判定部において前記予め決められたアプリケーションプログラムが実行される使用状況であると判定された時、前記高分子散乱液晶層の所望の液晶分子について入射光を散乱させる方向に分子軸の配向を制御する第一の制御信号を発生するともに、前記シャッタ液晶層の全ての液晶分子について入射光の偏光方向を前記一定方向とは異なる方向に制御する第二の制御信号を発生する請求項４記載の携帯情報端末。
【請求項１２】
携帯情報端末の使用状況を状況判定部が判定するステップと、
入射光をドット単位で透過する状態と入射光をドット単位で散乱させる状態とが第一の制御信号により切り替えられる透過散乱層と、入射光を透過する状態と入射光を反射する状態とが第二の制御信号により切り替えられる透過反射層と、前記透過散乱層と透過反射層とを貼り合わせる貼り合わせ層とを有するとともに、前記透過散乱層側が前記携帯情報端末の正面側になされ、前記透過反射層側が前記携帯情報端末の背面側になされるディスプレイ部に対して、制御信号発生部が、前記状況判定部による自端末の使用状況の判定結果に応じた前記第一，第二の制御信号を発生するステップと、
を有する携帯情報端末の表示制御方法。
【請求項１３】
携帯情報端末の使用状況を判定する状況判定処理と、
入射光をドット単位で透過する状態と入射光をドット単位で散乱させる状態とが第一の制御信号により切り替えられる透過散乱層と、入射光を透過する状態と入射光を反射する状態とが第二の制御信号により切り替えられる透過反射層と、前記透過散乱層と透過反射層とを貼り合わせる貼り合わせ層とを有するとともに、前記透過散乱層側が前記携帯情報端末の正面側になされ、前記透過反射層側が前記携帯情報端末の背面側になされるディスプレイ部に対して、前記状況判定処理による自端末の使用状況の判定結果に応じた前記第一，第二の制御信号を発生する制御信号発生処理とを、
携帯情報端末に実行させる表示制御プログラム。
【発明の詳細な説明】
【技術分野】
【０００１】
本発明は、いわゆる透明ディスプレイを備えた表示装置と、その表示装置を備えた携帯情報端末と、携帯情報端末の表示制御方法及び表示制御プログラムに関する。
【背景技術】
【０００２】
近年は、ディスプレイ上に情報が表示される状態（表示オン状態）とディスプレイの背面側が透けて見える状態（表示オフ状態）を取り得るようないわゆる透明ディスプレイが開発されている。当該透明ディスプレイは様々なタイプが研究されているが、その中の一つとして、高分子散乱液晶（高分子分散液晶、ポリマーネットワーク液晶）を用いたディスプレイが実用化されるレベルになってきている。当該高分子散乱液晶は、印加電圧がオフ状態のときには入射した光を散乱させ、印加電圧がオフ状態のときには入射した光をそのまま通過させる特徴を有している。
【０００３】
また、特開２００３−１５００７０号の公開特許公報（特許文献１）には、文字や画像などを表示するディスプレイの表示面側に、印加電圧に応じて配向を切り替える液晶分子が封止されてなる液晶シャッタ材を配設した表示デバイスを備えた携帯電話機が開示されている。この携帯電話機によれば、液晶分子に印加電圧を与えることなく、液晶シャッタ材を透明状態にすることにより、ディスプレイに表示される文字や画像などを液晶シャッタ材を通じて見ることができ、液晶分子に印加電圧を与え、液晶シャッタ材を鏡面状態にすることにより、液晶シャッタ材を鏡として使用可能となっている。
【先行技術文献】
【特許文献】
【０００４】
【特許文献１】特開２００３−１５００７０号公報（図１）
【発明の概要】
【発明が解決しようとする課題】
【０００５】
ところで、前述した透明ディスプレイについては、以下のような問題点が知られている。
【０００６】
第一の問題点は、例えば透明ディスプレイを備えた表示装置を野外等で使用したり、暗い場所で使用したりなど、様々な環境下で使用する場合、透明ディスプレイを通して見える背景の状況（色や照度）によっては、そのディスプレイ上の表示情報が非常に見え難くなるという問題である。すなわち例えば、ディスプレイ上に白色の文字等が表示されているような場合において、そのディスプレイを通して見える背景の色が白色であるような時には、ディスプレイ上の文字等が非常に見難くなる。また例えば、透明ディスプレイに高分子散乱液晶を使用した場合、当該高分子散乱液晶は、周囲の環境が暗いと入射光が少なくなり、そのため散乱される光も少なくなって見え難くなる。
【０００７】
第二の問題点は、透明ディスプレイ上に情報を表示した場合、例えば当該ディスプレイの背面側からもその情報が見えることになり、その表示されている情報を他人に見られてしまというプライバシー上の問題である。
【０００８】
なお、前述した特許文献１に記載の技術によれば、液晶シャッタ材を鏡面状態にすれば、その液晶シャッタ材の下側に設けられているディスプレイ上の表示情報を隠すことができるため、プライバシーを守ることはできる。しかしながら、この場合、使用者本人からも表示情報が見えなくなってしまうことになる。また、特許文献１に開示されている表示デバイスは、背景側が透けて見える状態にはならず、透明ディスプレイとしての機能を備えていない。その他にも、高分子散乱液晶の裏側に反射シートを設ける手法も知られているが、その手法の場合も透明ディスプレイとはならない。
【０００９】
本発明は、このような実情に鑑みて提案されたものであり、透明ディスプレイとして使用でき、また、背景の状況によってディスプレイ上の表示情報の視認性が悪くなるという問題を解決可能で、また、使用者本人はディスプレイ上の表示を見ることができる一方で、ディスプレイの背面側から情報を他人に見られてしまうというプライバシー上の問題をも解決可能な表示装置、携帯情報端末、携帯情報端末の表示制御方法及び表示制御プログラムを提供することを目的とする。
【課題を解決するための手段】
【００１０】
本発明の表示装置は、ディスプレイ部と制御信号発生部とを備えている。ディスプレイ部は、入射光をドット単位で透過する状態と入射光をドット単位で散乱させる状態とが第一の制御信号により切り替えられる透過散乱層と、入射光を透過する状態と入射光を反射する状態とが第二の制御信号により切り替えられる透過反射層と、透過散乱層と透過反射層とを貼り合わせる貼り合わせ層とを有する。制御信号発生部は、第一，第二の制御信号を発生する。これにより、本発明は上述した課題を解決する。
【００１１】
また、本発明の携帯情報端末は、ディスプレイ部と状況判定部と制御信号発生部とを備えている。ディスプレイ部は、入射光をドット単位で透過する状態と入射光をドット単位で散乱させる状態とが第一の制御信号により切り替えられる透過散乱層と、入射光を透過する状態と入射光を反射する状態とが第二の制御信号により切り替えられる透過反射層と、透過散乱層と透過反射層とを貼り合わせる貼り合わせ層とを有するとともに、透過散乱層側が自端末の正面側になされ、透過反射層側が自端末の背面側になされている。状況判定部は、自端末の使用状況を判定する。制御信号発生部は、状況判定部による自端末の使用状況の判定結果に応じた第一，第二の制御信号を発生する。これにより、本発明は上述した課題を解決する。
【００１２】
ここで、本発明において、ディスプレイ部の透過散乱層は、各ドットに対応した複数の液晶分子がマトリクス状に配列された高分子散乱液晶層と、当該高分子散乱液晶層を挟み込むと共に各液晶分子に第一の制御信号を供給する電極を備えた二枚の透明板材層とを有し、第一の制御信号により、所望の液晶分子について、入射光を散乱させる方向に分子軸の配向が制御され、又は、入射光を通過させる方向に分子軸の配向が制御される。また、透過反射層は、複数の液晶分子がマトリクス状に配列されたシャッタ液晶層と、当該シャッタ液晶層を挟み込むと共に各液晶分子に第二の制御信号を供給する電極を備えた二枚の透明板材層と、一方の透明板材層の外側に配される偏光板層と、他方の透明板材層の外側に配される反射型偏光フィルム層とを有してなり、第二の制御信号により、全ての液晶分子について、入射光の偏光方向が前記偏光板層と反射型偏光フィルム層を通過させる一定方向に制御され、又は、入射光の偏光方向が前記一定方向とは異なる方向に制御される。
【００１３】
本発明によれば、ディスプレイ部は、入射光をドット単位で透過する状態と入射光をドット単位で散乱させる状態とを切り替え可能な透過散乱層と、入射光を透過する状態と入射光を反射する状態とを切り替え可能な透過反射層とを有する。そして、例えば、透過散乱層を前記散乱させる状態にし、透過反射層を前記反射する状態にすれば、透過散乱層側からは散乱光が見えるようになり、一方、透過反射層側には散乱光を見えなくさせることができる。
【発明の効果】
【００１４】
本発明において、ディスプレイ部は、入射光をドット単位で透過する状態と入射光をドット単位で散乱させる状態とを切り替え可能な透過散乱層と、入射光を透過する状態と入射光を反射する状態とを切り替え可能な透過反射層とを有している。これにより、本発明によれば、透明ディスプレイとして使用でき、また、背景の状況によってディスプレイ上の表示情報の視認性が悪くなるという問題を解決可能となり、さらに、使用者本人はディスプレイ上の表示を見ることができる一方で、ディスプレイの背面側から情報を他人に見られてしまうというプライバシー上の問題をも解決可能となる。
【図面の簡単な説明】
【００１５】
【図１】本発明実施形態の携帯電話端末の概略的な外観構成例を示す図である。
【図２】高分子散乱液晶の概略構成を示し、入射光を透過する状態を示す図である。
【図３】高分子散乱液晶の概略構成を示し、入射光を散乱させる状態を示す図である。
【図４】シャッタ液晶の概略構成を示し、入射光を透過する状態を示す図である。
【図５】シャッタ液晶の概略構成を示し、入射光を反射させる状態を示す図である。
【図６】高分子散乱液晶とシャッタ液晶からなる本実施形態の表示デバイスの概略構成を示す図である。
【図７】高分子分散液晶とシャッタ液晶への印加電圧のＯＮ／ＯＦＦ制御信号と、それら印加電圧のＯＮ／ＯＦＦ制御時における表示デバイスの見え方（ディスプレイモード）との対応表を示す図である。
【図８】本実施形態の表示デバイスがディスプレイモードＭ１となった状態の説明に用いる図である。
【図９】本実施形態の表示デバイスがディスプレイモードＭ２となった状態の説明に用いる図である。
【図１０】本実施形態の表示デバイスがディスプレイモードＭ３となった状態の説明に用いる図である。
【図１１】本実施形態の表示デバイスがディスプレイモード（プライバシーモード）Ｍ３となった状態の説明に用いる図である。
【図１２】本実施形態の表示デバイスがディスプレイモードＭ３となっている場合の表示イメージを示す図である。
【図１３】本実施形態の表示デバイスがディスプレイモード（プライバシーモード）Ｍ４となっている場合の表示イメージを示す図である。
【図１４】本実施形態の携帯電話端末の概略的な内部構成を示すブロック図である。
【図１５】本実施形態の携帯電話端末においてディスプレイモードをプライバシーモードへ自動設定する処理のフローチャートである。
【発明を実施するための形態】
【００１６】
以下、図面を参照しながら、本発明の一実施形態について説明する。
【００１７】
なお、本発明の表示装置、携帯情報端末、その表示制御方法及び表示制御プログラムが適用される一例として、本実施形態では、透明ディスプレイ機能を備えた携帯電話端末を例に挙げている。勿論、本実施形態で説明する内容はあくまで一例であり、本発明はこの例に限定されないことは言うまでもない。
【００１８】
［携帯電話端末の概略的外観構成］
図１には、本実施形態の携帯電話端末２０の概略的な外観構成例を示す。図１の（Ａ）は本実施形態の携帯電話端末２０の概略正面図を、図１の（Ｂ）は（Ａ）の正面図に対する概略背面図を、図１の（Ｃ）〜（Ｆ）はそれぞれ（Ａ）の正面図に対する概略側面図を示している。なお、図１において参照符号が付された各デバイスは、携帯電話端末２０が備えている全デバイスのうちの一部である。図１では図示を省略しているが、本実施形態の携帯電話端末２０は、通常の高機能携帯電話端末が備えている他の各種デバイスも当然のことながら備えている。
【００１９】
この図１に示す本実施形態の携帯電話端末２０において、図中（Ａ）に示す筐体正面側には、テンキー，発話・終話キー，十字キー，クリアキー，メールキー等のキーボタンからなるキーデバイス部２７と、受話用スピーカ（レシーバ）２２と、送話用マイクロホン２６と、サブカメラデバイス（インカメラ）のレンズ２４と、後述する表示デバイス３０、近接センサ２３と図示しない静電センサや温度センサ等が配されている。
【００２０】
また本実施形態の携帯電話端末２０において、図１の（Ｂ）に示す筐体背面側にはメインカメラデバイスのレンズ２５と後述する赤外線センサ２９が設けられ、図１の（Ｆ）に示す筐体側面側にはインターフェースコネクタ２８が、図１の（Ｃ）に示す筐体側面側にはシャッターボタン２１が設けられている。
【００２１】
なお、キーデバイス部２７、受話用スピーカ（レシーバ）２２、送話用マイクロホン２６、カメラデバイスのレンズ２５，２４、インターフェースコネクタ２８等については、一般の携帯電話端末に搭載されているものと同じであるため、それらの説明については省略する。また、近接センサ２３，赤外線センサ２９，静電センサや温度センサの詳細については後述する。
【００２２】
本実施形態の携帯電話端末２０において、表示デバイス３０は、表示面上に画像や文字・記号等を表示する機能を有している。また本実施形態の場合、表示デバイス３０は、後述するように、例えば高分子散乱液晶とシャッタ液晶により構成されており、筐体正面側と筐体背面側の両方向から互いに向こう側を透過視可能にする状態と、筐体正面側と筐体背面側の両方向から表示内容を視認可能にする状態と、筐体正面側から見た場合に略々鏡面となる機能と、筐体正面側からのみ表示を視認可能とする機能とをも備えており、それら機能を適宜切り替え可能となされている。
【００２３】
当該表示デバイス３０の各機能について説明する前に、高分子散乱液晶とシャッタ液晶の概略的な構成から説明する。
【００２４】
［高分子散乱液晶の概略構成］
図２及び図３には、高分子散乱液晶の概略的な構成を示す。
【００２５】
この図２及び図３において、高分子散乱液晶は、表示ドットに対応した多数の液晶分子がマトリクス状に配列された高分子散乱液晶層２が二枚のガラス等の透明板材層１，３により挟み込まれた構造を有し、それら二枚の透明板材層１，３の一方が図１の（Ａ）の筐体正面側に、また、他方が図１の（Ｂ）の筐体背面側に、それぞれ外部から見えるように配されている。前記透明板材層１，３には各液晶分子に対応した電極が設けられており、それら電極を介して、制御信号発生器１０から液晶分子軸を駆動するための制御信号を送ることで、所望の液晶分子について入射光を散乱させる方向に分子軸の配向を制御し、或いは、入射光を通過させる方向に分子軸の配向を制御可能となされている。
【００２６】
そして、当該高分子散乱液晶において、入射光を通過させる方向へ液晶分子軸の配向が制御された場合には、図２に示すように、前記筐体正面側からの入射光ＬＦと筐体背面側からの入射光ＬＢの両方が互いに向こう側へ通過することになる。これにより、当該高分子散乱液晶によれば、筐体正面側と筐体背面側の両方向から互いに向こう側を透過視可能となる。一方、高分子散乱液晶において、所望の液晶分子軸について光を散乱（ＬＳ）させる方向へ分子軸の配向が制御された場合には、図３に示すように、その散乱にかかる複数の液晶分子により画像や文字・記号等を表示可能となり、その表示内容は、筐体正面側と筐体背面側の両方向から見ることが可能となる。なお、図２，図３では、制御信号発生器１０から電圧が付加（ＯＮ）された時に液晶分子軸が入射光を通過させる方向になされ、一方、制御信号発生器１０からの電圧が切られた（ＯＦＦ）時に液晶分子軸が入射光を散乱させる方向になされる例を挙げている。
【００２７】
［シャッタ液晶の概略構成］
図４及び図５には、シャッタ液晶の概略的な構成を示す。
【００２８】
この図４及び図５において、シャッタ液晶は、多数の液晶分子がマトリクス状に配列されたシャッタ液晶層７が二枚のガラス等の透明板材層６，８により挟み込まれ、さらに透明板材層６の前記シャッタ液晶層７と相対応した反対面側に偏光板層５が、透明板材層８の前記シャッタ液晶層７と相対応した反対面側に反射型偏光フィルム層９が設けられた構造を有し、前記偏光板層５側が図１の（Ａ）の筐体正面側に、また、反射型偏光フィルム層９側が図１の（Ｂ）の筐体背面側に、それぞれ外部から見えるように配されている。前記透明板材層６，８には各液晶分子に対応した電極が設けられており、それら電極を介して、制御信号発生器１０から液晶偏光面を駆動するための制御信号を送ることで、当該液晶分子による偏光方向を制御可能となされている。また、このシャッタ液晶の場合、偏光板層５は、入射光のうち一定の偏光方向の光成分みを通過させ、反射型偏光フィルム層９は、一定の偏光方向の光成分のみを透過させてそれ以外の偏光方向の光成分は反射するものとなされている。これら偏光板層５と反射型偏光フィルム層９の前記一定の偏光方向は略々同じとなされている。
【００２９】
そして、当該シャッタ液晶において、前記シャッタ液晶層７による偏光方向を、前記偏光板層５と反射型偏光フィルム層９の前記一定の偏光方向に等しくなる一定方向に揃えるように制御した場合には、図４に示すように、前記筐体正面側からの入射光ＬＦと筐体背面側からの入射光ＬＢの両方が互いに向こう側へ通過することになる。これにより、筐体正面側と筐体背面側の両方向から互いに向こう側を透過視可能となる。一方、シャッタ液晶において、前記シャッタ液晶層７による偏光方向を、前記偏光板層５と反射型偏光フィルム層９の前記一定の偏光方向とは異なる方向に制御した場合には、図５に示すように、前記筐体正面側からの入射光ＬＦは反射型偏光フィルム層９により反射（ＬＲ）され、筐体背面側からの入射光ＬＢは偏光板層５により遮断されて筐体正面側へは出射しなくなる。なお、図４，図５では、制御信号発生器１０から電圧が付加（ＯＮ）された時に前記液晶分子の偏光方向が前記一定方向に揃えられ、一方、制御信号発生器１０からの電圧が切られた（ＯＦＦ）時に液晶分子の偏光方向が前記一定方向とは異なる方向になされる例を挙げている。
【００３０】
［本実施形態の表示デバイスの概略構成］
図６には、前述の図２及び図３で説明した高分子散乱液晶と図４及び図５で説明したシャッタ液晶とを用いて形成された本実施形態の表示デバイスの主要部の概略的な構成を示す。
【００３１】
この図６において、本実施形態の表示デバイスは、前記高分子散乱液晶とシャッタ液晶が貼り合わせシート層４を介して貼り合わされた構造を有している。すなわち、本実施形態の表示デバイスは、順に、前記透明板材層１、前記高分子分散液晶層２、前記透明板材層３、貼り合わせシート層４、前記偏光板層５、前記透明板材層６、前記シャッタ液晶層７、前記透明板材層８、前記反射型偏光フィルム層９が配された構造を有し、前記透明板材層１が図１の（Ａ）の筐体正面側に、反射型偏光フィルム層９側が図１の（Ｂ）の筐体背面側に、それぞれ外部から見えるように配されている。
【００３２】
また、前記透明板材層１，３には、前記高分子分散液晶層２の各液晶分子に対応した電極が設けられており、それら電極を介して、制御信号発生器１０Ａから液晶分子軸を駆動するための制御信号を送ることで、所望の液晶分子について入射光を散乱させる方向に分子軸の配向を制御し、或いは、入射光を通過させる方向に分子軸の配向を制御可能となされている。
【００３３】
また、前記透明板材層６，８には、前記シャッタ液晶層７の各液晶分子に対応した電極が設けられており、それら電極を介して、制御信号発生器１０Ｂから液晶偏光面を駆動するための制御信号を送ることで、当該液晶分子による偏光方向を制御可能となされている。
【００３４】
なお、本実施形態において、高分子散乱液晶とシャッタ液晶を貼り合わせシート層４を介して貼り合わせているのは、高分子散乱液晶の透明材料３とシャッタ液晶の偏光板層５との間に空気層が存在すると、それら透明材料３と空気層との間、及び、偏光板層５と空気層との間で光が屈折してしまい、光のロスが発生し、透過率と視認性が悪くなるためである。すなわち、貼り合わせシート層４は透明板材層３や偏光板層５の構成材料の屈折率と同じか若しくは非常に近い屈折率を有する材料からなり、この貼り合わせシート層４を設けることで、光の屈折を略々なくし、また、光のロス、透過率と視認性の悪化を防ぐことができる。
【００３５】
［制御信号発生器の制御信号と表示デバイスの見え方］
図７には、高分子分散液晶とシャッタ液晶への印加電圧のＯＮ／ＯＦＦ制御信号と、それら印加電圧のＯＮ／ＯＦＦ制御時における表示デバイスの見え方（ディスプレイモード）との対応表を示す。また、図８〜図１１には、図７の対応表に示した各ディスプレイモード時における入射光の透過，散乱、反射の様子を示す。
【００３６】
図７のディスプレイモードＭ１のように、高分子散乱液晶に対して電圧を印加（ＯＮ）するとともにシャッタ液晶にも電圧を印加（ＯＮ）した場合、高分子散乱液晶部分では、入射光を通過させる方向へ液晶分子軸の配向が制御され、また、シャッタ液晶部分では、前記シャッタ液晶層７による偏光方向が前記一定方向に揃えられることになる。この場合、本実施形態の表示デバイスでは、図８に示すように、前記筐体正面側からの入射光ＬＦと筐体背面側からの入射光ＬＢの両方が互いに向こう側へ通過することになる。これにより、筐体正面側と筐体背面側の両方向から互いに向こう側を透過視可能となる。
【００３７】
図７のディスプレイモードＭ２のように、高分子散乱液晶への電圧が切られた（ＯＦＦ）一方で、シャッタ液晶へは電圧を印加（ＯＮ）した場合、高分子散乱液晶部分では、入射光を散乱（ＬＳ）させる方向へ液晶分子軸の配向が制御され、シャッタ液晶部分では、前記シャッタ液晶層７による偏光方向が前記一定方向に揃えられることになる。この場合、本実施形態の表示デバイスでは、図９に示すように、高分子散乱液晶部分に画像や文字・記号等を表示可能となり、その表示内容は、筐体正面側と筐体背面側の両方向から見ることが可能となる。
【００３８】
図７のディスプレイモードＭ３のように、高分子散乱液晶に対して電圧を印加（ＯＮ）する一方で、シャッタ液晶への電源を切った（ＯＦＦ）場合、高分子散乱液晶部分では、入射光を通過させる方向へ液晶分子軸の配向が制御され、シャッタ液晶部分では、前記シャッタ液晶層７による偏光方向が前記一定方向とは異なる方向になされる。この場合、本実施形態の表示デバイスでは、図１０に示すように、前記筐体正面側からの入射光ＬＦは反射型偏光フィルム層９により反射（ＬＲ）され、筐体背面側からの入射光ＬＢは偏光板層５により遮断されて筐体正面側へは出射しなくなる。すなわちこのディスプレイモードＭ３の場合は、前記筐体正面側からは反射型偏光フィルム層９により反射された光を見ることができ、筐体背面側からは見えない状態となる。
【００３９】
図７のディスプレイモードＭ４のように、高分子散乱液晶とシャッタ液晶への電源の両方を切った（ＯＦＦ）場合、高分子散乱液晶部分では、入射光を散乱（ＬＳ）させる方向へ液晶分子軸の配向が制御され、シャッタ液晶部分では、前記シャッタ液晶層７による偏光方向が前記一定方向とは異なる方向になされる。この場合、本実施形態の表示デバイスでは、図１１に示すように、高分子散乱液晶部分に画像や文字・記号等を表示可能となり、その表示内容は、筐体正面側からのみ見ることが可能となり、一方、筐体背面側からの入射光ＬＢは偏光板層５により遮断されて筐体正面側へは出射しなくなる。すなわち、このディスプレイモードＭ４の場合は、筐体正面側からは表示内容を見ることができる一方で、筐体背面側からは表示内容を見ることができなくなる。本実施形態では、当該ディスプレイモードＭ４について、適宜プライバシーモードと呼ぶ。
【００４０】
［表示イメージ］
図１２，図１３には、本発明実施形態の表示ディスプレイにおける表示イメージの一例を示す。
【００４１】
本実施形態では、高分子散乱液晶の各液晶分子について制御信号による電圧のＯＮ／ＯＦＦが可能となされており、それら各液晶分子によるドット表示が可能となされている。また、シャッタ液晶については、全液晶分子について一括して電圧をＯＮ／ＯＦＦする。
【００４２】
図１２は、前記図７のディスプレイモードＭ３の場合の表示イメージを示している。この図１２の例では、シャッタ液晶への印加電圧がＯＦＦとなされ、高分子散乱液晶には画像ＤＧを構成する各ドットに対応した各液晶分子について電圧が印加（ＯＮ）され、それ以外は電圧ＯＦＦとなされている。したがって、この図１２の例の場合、筐体正面側と筐体背面側の両方から画像ＤＧと共に背景ＢＧが見えることになる。
【００４３】
図１３には、前記図７のディスプレイモード（プライバシーモード）Ｍ４の場合の表示イメージを示している。この図１３の例では、高分子散乱液晶には画像ＤＧを構成する各ドットに対応した各液晶分子について電圧が印加（ＯＮ）され、それ以外は電圧ＯＦＦとなされている一方で、シャッタ液晶への印加電圧がＯＮとなされている。したがって、この図１３の例の場合、筐体正面側からのみ画像ＤＧを見ることができ、一方で、筐体背面側からは画像ＤＧを見ることができない。すなわちこの場合、筐体背面側からは表示が全く見えないため、表示内容のプライバシーを守ることができる。また、この場合、筐体正面側からは、筐体背面側の背景については見ることはできないが、当該背景が透けず、且つ、高分子散乱液晶に対する筐体背面側に反射面も形成されるため、その表示内容は非常に見易くなる。
【００４４】
［携帯電話端末の概略的な内部構成］
図１４には、本実施形態の携帯電話端末２０の概略的な内部構成を示す。
【００４５】
図１４において、ディスプレイデバイス４２は、本実施形態の前述した高分子散乱液晶とシャッタ液晶が貼り合わされた前述の表示デバイス３０である。ディスプレイデバイスコントローラ４３は、上記ディスプレイデバイス４２の動作及び表示等を制御するデバイスコントローラである。
【００４６】
ＬＥＤ（発光ダイオード）４４は、例えば着信ランプや図１のキーデバイス部２７の照明ランプなど、本実施形態の携帯電話端末に備えられている各種照明光源である。ＬＥＤドライバ４５は、それら複数のＬＥＤ４４を駆動および制御する。
【００４７】
静電センサ４６は、静電容量の変動を検知する。本実施形態の携帯電話端末２０の場合、静電センサ４６は、図１のキーデバイス部２７が設けられている筐体正面側の例えばレシーバ２２近傍に配されている。当該静電センサ４６は、例えばユーザがレシーバ２２に耳等を当てて通話等を行っているような場合、当該耳や顔の一部等が静電センサ４６に接触等したことを検知可能となされている。特に本実施形態の場合、静電センサ４６は、耳や顔の一部等が一定面積以上接触したことを検知可能となされている。
【００４８】
近接センサ４７は、超音波センサや光位置センサからなり、図１の近接センサ２３に対応する。なお、超音波センサは、超音波を発射し、その超音波が物体に反射してきた反射波の到達時間を計測することにより、当該物体までの距離を検出する。また、光位置センサは、光を出射し、その光が物体に反射してきた反射光の入射角度を計測することにより、当該物体までの距離を検出する。本実施形態の携帯電話端末２０の場合、当該近接センサ４７は、図１のキーデバイス部２７が設けられている筐体正面側の例えばレシーバ２２近傍に配されている。当該近接センサ４４は、例えばユーザがレシーバ２２に耳等を当てて通話等するような時に、当該耳や顔が近接することを検知可能となされている。特に本実施形態の場合、近接センサ４７は、当該耳や顔の一部等が携帯電話端末２０に一定距離以内に近づいたことなどを検知可能となされている。
【００４９】
温度センサ４８は、携帯電話端末の表面及び近傍の温度を検出する。本実施形態の携帯電話端末２０の場合、温度センサ４８は、図１のキーデバイス部２７が設けられている筐体正面側に配されている。当該温度センサ４８は、例えばユーザがレシーバ２２に耳等を当てて通話等している時に、当該耳や顔の一部等が携帯電話端末２０に触れることなどにより温度が上昇すると、それを検知可能となされている。特に本実施形態の場合、温度センサ４８は、体温等の一定温度以上の温度上昇などを検知可能となされている。
【００５０】
赤外線センサ４９は、図１の赤外線センサ２９であり、赤外線を検出する。本実施形態の携帯電話端末２０の場合、赤外線センサ４９は、例えばメインカメラのレンズ等が設けられている筐体背面側に配されている。当該赤外線センサ４９は、本実施形態の携帯電話端末２０の筐体背面側で人体の体表面等から発せられる赤外線等を検知可能となされている。
【００５１】
レシーバ５０は、図１のレシーバ２２に相当する。当該レシーバ５０は、本実施形態の携帯電話端末にて音声通話等が行われている時に、受話音声を出力するためのスピーカである。
【００５２】
マイクロホン５１は、図１のマイクロホン２６に相当する。当該マイクロホン５１は、本実施形態の携帯電話端末にて音声通話等が行われている時に、送話音声を入力するための音声入力デバイスである。
【００５３】
外部インターフェース（Ｉ／Ｆ）５２は、各種外部コネクタとその外部コネクタとの間で信号伝達等をするための外部接続部からなる。なお、上記外部コネクタにはいわゆるＵＳＢ２．０（Universal Serial Bus 2.0）規格のコネクタが含まれており、このため本実施形態の携帯電話端末はＵＳＢ２．０コントローラ５３も備えている。
【００５４】
ＵＳＩＭカードスロット５４は、加入者情報（契約者情報）等が記憶されたいわゆるＵＳＩＭ（Universal Subscriber Identity Module）カードが装填されるＩＣカードスロットである。
【００５５】
赤外線通信モジュール５５は、赤外線を用いて情報通信するための通信デバイスである。
【００５６】
振動モータ５６は、本実施形態の携帯電話端末に振動を発生させるためのいわゆるバイブレータである。
【００５７】
バッテリ５７は、本実施形態の携帯電話端末の各部で使用する電力用の電源である。
【００５８】
周辺ＩＣ＋電源ＩＣ５８は、上記ＵＳＩＭカードスロット５４、赤外線通信モジュール５５、振動モータ５６、バッテリ５７、外部インターフェース５２と接続されており、それら各部の制御や信号処理の他、バッテリ５７の電源供給などを制御する。
【００５９】
メインカメラ６０は、図１のメインカメラデバイスであり、カメラレンズ等の撮影光学系や撮像素子（撮像デバイス）等からなる。フラッシュ（フラッシュライト）６２は、上記メインカメラ６０による撮影時の撮影補助光を発光するための光源ランプである。フラッシュライトコントローラ６１は、メインカメラ６０による撮影に連動して、フラッシュ６２の発光を制御する。
【００６０】
サブカメラ６３は、前述のサブカメラデバイスであり、上記メインカメラ６０とは別に設けられたカメラ部であり、一例として、いわゆる自分撮り時にユーザ自身を撮影したり、テレビ電話による通話の際にユーザ自身を撮影する際などに用いられる。
【００６１】
ＲＦ回路６５は、本実施形態の携帯電話端末が携帯電話網の基地局と通信する際の無線通信用回路である。アンテナ６６は、本実施形態の携帯電話端末が基地局と無線通信する際の無線通信アンテナである。
【００６２】
非接触通信カードコントローラ６７は、非接触通信ＩＣカードとの間でいわゆる電磁誘導方式により信号通信がなされる時の各種制御と信号処理とを行う。非接触通信カードアンテナ６８は、上記電磁誘導方式による非接触通信のためのアンテナである。
【００６３】
近距離無線コントローラ６９は、例えばいわゆるブルートゥース（Bluetooth:登録商標）方式等により近距離無線通信するための各種制御と信号処理とを行う。近距離無線アンテナ７０は、当該近距離無線通信のためのアンテナである。
【００６４】
デジタルＴＶチューナ７１は、いわゆるデジタルテレビジョン放送用のチューナである。デジタルＴＶアンテナ７２は、当該デジタルテレビジョン放送電波を受信するためのアンテナである。
【００６５】
メモリカードスロット７４は、例えばいわゆるＳＤ（Secure Digital）カード等の外部メモリカードが着脱されるスロットである。メモリカードコントローラ７３は、メモリカードスロット７４に装填されたメモリカードしてデータの書き込み／読み出し等を制御し、またそのための信号処理をする。
【００６６】
キーパッド７５は、前述のキーデバイス部２７であり、本実施形態の携帯電話端末に搭載されたテンキーや十字キー、シャッターボタン等の各種キー及び各種ボタンと、それら各キーやボタンがユーザにより操作された時のキー・ボタン出力信号を生成する。なお、図１のシャッターボタン２１も当該キーパッド７５に属するボタンの一つである。
【００６７】
内部メモリ７６は、例えばＤＤＲ  ＳＤＲＡＭ（Double Data Rate SDRAM）７７と、ＮＡＮＤ型フラッシュメモリ（NAND-type flash memory）７８とを有してなる。上記ＮＡＮＤ型フラッシュメモリ７８には、ＯＳ（Operating System）のプログラムやＣＰＵ４０が各部を制御するための制御プログラム、本発明にかかる表示デバイスの制御プログラム、各種のアプリケーションプログラム、圧縮符号化された楽曲・動画像・静止画データコンテンツの他、各種の設定値、フォントデータ、各辞書データ、機種名情報や端末識別情報などが記憶される。ＤＤＲ  ＳＤＲＡＭ７７は、ＣＰＵ４０が各種のデータ処理や演算の際の作業領域として、随時データを記憶する。
【００６８】
音声音声チップ７９は、例えば音楽再生などの信号処理用のＩＣ回路である。当該音声チップ７９には、図示しないアンプを介して、ステレオ音声出力用の右スピーカ８０と左スピーカ８１が接続されている。
【００６９】
ＣＰＵ（中央処理ユニット）４０は、通信制御、音声処理及びその制御、画像処理及びその制御、カメラ撮影制御、その他各種信号処理や各部の制御等を行う。また、ＣＰＵ４０は、内部メモリ７６に蓄積されている各種の制御プログラムやアプリケーションプログラムを実行し、またそれに付随する各種データ等を処理する。特に本実施形態の場合、ＣＰＵ４０は、本発明にかかる表示制御プログラムを実行することにより、前述したような表示デバイスのディスプレイモード毎の表示制御や、後述するような各種センサ等からの検知出力に基づいたディスプレイモードの自動制御などを行う。
【００７０】
その他、図１４には図示を省略しているが、本実施形態の携帯電話端末は、一般的な携帯電話端末に設けられる各構成要素についても当然ながら備えている。
【００７１】
［ディスプレイモードに応じた表示制御（プライバシーモードへの自動設定）］
本実施形態の携帯電話端末は、前述のディスプレイモードについて、ユーザによる手動設定の他に、携帯電話端末の使用状況の検知結果に応じた自動設定も可能となされている。ディスプレイモードの自動設定としては、一例として、携帯電話端末の使用状況に応じて前記ディスプレイモードをプライバシーモード（Ｍ４）へ設定することにより、ディスプレイの背面側から情報を他人に見られてしまうというプライバシー上の問題の発生を防ぐことなどが挙げられる。
【００７２】
ここで、ディスプレイの背面側から表示情報を見えなくすることが望ましい使用状況としては、例えば、携帯電話端末の筐体背面側に人が居る場合（第一のユースケース）、携帯電話端末を耳に当ててユーザが通話をしている時（第二のユースケース）、他人に見せたくない表示コンテンツをユーザが見ている時（第三のユースケース）、などを挙げることができる。もちろんこれらユースケースは一例であり、本発明はこれらに限定されないことは言うまでもない。
【００７３】
本実施形態では、例えば筐体背面側に設けられているメインカメラデバイス（２５，６０）により画像を撮影し、その画像内にいわゆる顔画像検出技術により人物の顔画像が存在することを認識した時、携帯電話端末の筐体背面側に人が居ると判断（第一のユースケースと判断）して、プライバシーモードＭ４へ自動的に切り替えるようにする。
【００７４】
また例えば、筐体背面側に設けられている赤外線センサ（２９，４９）により赤外線を検出し、その検出した赤外線が、人体から発せられる赤外線に対応して決められた閾値範囲内であることを検知した時、携帯電話端末の筐体背面側に人が居ると判断（第一のユースケースと判断）して、プライバシーモードＭ４へ自動的に切り替えるようにする。
【００７５】
また本実施形態において、例えばレシーバ２２の近傍に設けられている静電センサ４６により耳や顔等への接触を検出し、その検出した接触面積等が予め決められた一定閾値面積範囲内であることを検知した時、ユーザが携帯電話端末を耳に当てて通話をしていると判断（第二のユースケースと判断）して、プライバシーモードＭ４へ自動的に切り替えるようにする。
【００７６】
また例えば、レシーバ２２の近傍に設けられている近接センサ（２３，４７）により、耳や顔等への近接を検出し、その検出した距離が予め決められた一定閾値距離以内になったことを検知した時、ユーザが携帯電話端末を耳に当てて通話をすると判断（第二のユースケースと判断）して、プライバシーモードＭ４へ自動的に切り替えるようにする。
【００７７】
また例えば、レシーバ２２の近傍に設けられている温度センサ（４８）により、温度を検出し、その検出した温度が体温に近い一定の閾値温度範囲内（例えば３０度〜３６度など）になったことを検知した時、ユーザが携帯電話端末を耳に当てて通話していると判断（第二のユースケースと判断）して、プライバシーモードＭ４へ自動的に切り替えるようにする。
【００７８】
また例えば、ブラウザアプリケーションプログラムや、メールアプリケーションプログラム、動画像や静止画像のビューワアプリケーションプログラム等が動作しており、それらによりディスプレイ上に表示されるコンテンツが、例えばプライバシー保護すべきものとして予め設定されている時、或いは、それらアプリケーションそのものが動作している時、他人に見せたくない表示コンテンツをユーザが見ていると判断（第三のユースケースと判断）して、プライバシーモードＭ４へ切り替えるようにする。なお、音声通話用のアプリケーションが起動した状態で実際に通話回線が接続されているような使用状況であるときに、プライバシーモードＭ４へ切り替えるようにしてもよい。また、表示コンテンツがプライバシー保護すべきものか否かは、ユーザによる事前の登録コンテンツの他、例えばウェブサイトのいわゆるフィルタリング機能等によりフィルタリング対象となるようなコンテンツであるかにより判定することも可能である。
【００７９】
［ディスプレイモードに応じた表示制御（プライバシーモードへの自動設定）フロー］
図１５には、前述したような様々なユースケースの判断結果に応じて、ディスプレイモードをプライバシーモードへ自動設定する処理のフローチャートの一例を示す。なお、図１５の処理は、制御部４０が本発明の表示制御プログラムを実行することによりなされる処理である。
【００８０】
図１５において、制御部４０は、例えばディスプレイ画面上に何らかの情報を表示する場合、本発明の表示制御プログラムをスタートさせる。
【００８１】
表示制御プログラムの実行中、制御部４０は、ステップＳ１の判断処理として、本実施形態の携帯電話端末においてディスプレイモードを自動的にプライバシーモードへ設定するためのユーザ設定がなされているか否か判定する。当該ステップＳ１において、制御部４０は、プライバシーモードの自動設定有りと判定した場合には、ステップＳ５へ処理を進め、一方、プライバシーモードの自動設定無しと判定した場合には、ステップＳ２へ処理を進める。なお、プライバシーモードの自動設定有りと判定されている場合であっても、例えばユーザから明示的に手動設定モードへの移行指示がなされたときには、ステップＳ２へ処理を進めることも可能である。もちろんその逆に、プライバシーモードの自動設定無しと判定されている場合であっても、例えばユーザから明示的に自動設定モードへの移行指示がなされたときには、ステップＳ５へ処理を進めることも可能である。
【００８２】
ステップＳ１にてプライバシーモードの自動設定無しと判定されてステップＳ２へ進むと、制御部４０は、キーパッド７５等を通じてユーザからディスプレイモードの手動設定がなされたか否か判定する。
【００８３】
ステップＳ２にてディスプレイモードの手動設定がなされたと判定した場合、制御部４０は、ステップＳ３の処理として、当該ユーザ設定がなされたディスプレイモードとなるように、前記制御信号発生器１０Ａ，１０Ｂから制御信号を発生させる。このステップＳ３の後、制御部４０は処理を最初に戻す。
【００８４】
一方、ステップＳ２にてディスプレイモードの手動設定がなされていないと判定した場合、制御部４０は、それ以前に設定されているディスプレイモードを維持する。当該ステップＳ４の後、制御部４０は処理を最初に戻す。
【００８５】
前記ステップＳ１にてプライバシーモードの自動設定有りと判定されてステップＳ５へ進むと、制御部４０は、ディスプレイ上に現在表示している表示コンテンツがプライバシー保護すべきコンテンツであると登録されているか、或いは、起動中のアプリケーションプログラムがプライバシー保護すべきコンテンツを表示するアプリケーションであると登録されているものかなどを判定する。そして、プライバシー保護すべきと判定すると、制御部４０は、ステップＳ８へ処理を進め、一方、プライバシー保護が未登録であると判定すると、ステップＳ６へ処理を進める。
【００８６】
ステップＳ６の処理に進むと、制御部４０は、メインカメラデバイス（２５，６０）により画像を撮影させ、その画像内から人物の顔画像が認識されたか否か判断し、顔画像が認識されたときにはステップＳ８へ処理を進め、顔画像が認識されないときにはステップＳ７へ処理を進める。
【００８７】
ステップＳ７の処理に進むと、制御部４０は、前述した静電センサ４６や近接センサ（２３，４７）、温度センサ（４８）、赤外線センサ（２９，４９）等の検知信号と、前述したように予め決められた閾値とを比較し、それら検知信号と閾値の比較結果から、ユーザが通話中であると判断できたり、携帯電話端末の筐体背面側に人が居ると判断できた場合、ステップＳ８へ処理を進める。一方、それら以外の場合、制御部４０は、処理を最初に戻す。
【００８８】
ステップＳ８の処理に進んだ場合、制御部４０は、前述のディスプレイモード（プライバシーモード）Ｍ４となるように、前記制御信号発生器１０Ａ，１０Ｂから制御信号を発生させる。このステップＳ８の後、制御部４０は処理を最初に戻す。
【００８９】
［まとめ］
以上説明したように、本実施形態の携帯電話端末によれば、透明ディスプレイとして使用可能な高分子分散液晶と、視認性の向上に最も効果のあるミラー機能付きのシャッタ液晶とを組み合わせて図６のような表示ディスプレイを構成し、当該その表示デバイスを前述の図７のディスプレイモードのように駆動制御することにより、特にディスプレイモードＭ４の場合、高分子散乱液晶の視認性を改善して、その高分子散乱液晶による表示をユーザが認識し易くするととともに、背面から他人に見られてしまうことをも防止することが可能である。
【００９０】
また本実施形態の携帯電話端末によれば、ディスプレイモードを自動的に設定することができるため、ディスプレイ上の表示を他者に見られてしまうことがなく、表示内容のプライバシーを守ることができる。
【００９１】
また、本実施形態によれば、高分子分散液晶とシャッタ液晶との間に前述の貼り合わせシートを使用することで、光のロスを無くし、透過率と視認性の悪化を防ぐことができる。
【００９２】
なお、上述した実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００９３】
例えば、前述の高分子散乱液晶は、例えばいわゆるＳＴＮ液晶や有機ＥＬ（ElectroLuminescent）等に代えることも可能である。また、前述の実施形態では、印加電圧がＯＮの時に透明状態になる例を挙げたが、印加電圧をＯＦＦしたときに透明状態になる液晶を用いてもよい。この場合、前記図７のＯＮとＯＦＦは入れ替わることになる。
【００９４】
また前記貼り合わせシートは、本実施形態で挙げたものに限らず、例えば液状の紫外線硬化樹脂を用い、その紫外線硬化樹脂に紫外線を照射して硬化させることで形成してもよい。すなわち、高分子分散液晶とシャッタ液晶との間の空気層を無くすことができるのであれば何れのものでもよい。但し、その屈折率は、透明板材層３や偏光板層５の構成材料の屈折率と同じか若しくは非常に近い屈折率であることが望ましい。
【００９５】
また、前述の実施形態では、各種センサが常に検知動作を行っている状態の例を挙げたが、例えば音声通話アプリケーションプログラムやブラウザアプリケーションなど予め決めたアプリケーションプログラムが実行されている時にのみ、各種センサの検知動作を開始するようにしてもよい。この場合、それらアプリケーションプログラムが実行されている時のにみ各種センサが起動することになり、各アプリケーションプログラムが実行されていない時には各種センサが機能を停止しているため消費電力を減らすことができる。
【符号の説明】
【００９６】
１，３，６，８…透明板材層、２…高分子散乱液晶層、４…貼り合わせシート層、５…偏光板層、７…シャッタ液晶層、９…反射型偏光フィルム層、１０…制御信号発生器、
２０…携帯電話端末、２２，５０…レシーバ（受話用スピーカ）、２３，４７…近接センサ、２４…サブカメラデバイスのレンズ、２５…メインカメラデバイスのレンズ、２６，５１…送話用マイクロホン、２７…キーデバイス部、２８…インターフェースコネクタ、２９，４９…赤外線センサ、３０…表示デバイス、
４０…ＣＰＵ、４２…ディスプレイデバイス、４３…ディスプレイデバイスコントローラ、４４…ＬＥＤ、４５…ＬＥＤドライバ、４６…静電センサ、４８…温度センサ、５２…外部インターフェース、５３…ＵＳＢ２．０コントローラ、５４…ＵＳＩＭカードスロット、５５…赤外線通信モジュール、５６…振動モータ、５７…バッテリ、５８…周辺ＩＣ＋電源ＩＣ、６０…メインカメラ、６１…フラッシュライトコントローラ、６２…フラッシュ、６３…サブカメラ、６５…ＲＦ回路、６６…アンテナ、６７…非接触通信カードコントローラ、６８…非接触通信カードアンテナ、６９…近距離無線コントローラ、７０…近距離無線アンテナ、７１…デジタルＴＶチューナ、７２…デジタルＴＶアンテナ、７３…メモリカードコントローラ、７４…メモリカードスロット、７５…キーパッド、７６…内部メモリ、７７…ＤＤＲ  ＳＤＲＡＭ、７８…ＮＡＮＤ型フラッシュメモリ、７９…音声チップ、８０…右スピーカ、８１…左スピーカ
【図１】
2011059589.tif 000003
【図２】
2011059589.tif 000004
【図３】
2011059589.tif 000005
【図４】
2011059589.tif 000006
【図５】
2011059589.tif 000007
【図６】
2011059589.tif 000008
【図７】
2011059589.tif 000009
【図８】
2011059589.tif 000010
【図９】
2011059589.tif 000011
【図１０】
2011059589.tif 000012
【図１１】
2011059589.tif 000013
【図１２】
2011059589.tif 000014
【図１３】
2011059589.tif 000015
【図１４】
2011059589.tif 000016
【図１５】
2011059589.tif 000017